(57)【要約】【課題】調節羽根における結露の発生を防止することが可能な空気調和装置を提供する。【解決手段】空気調和装置は、送風機１２と、この送風機１２によって生成された空気流を通過させて熱交換を行う熱交換器１３と、送風機１２及び熱交換器１３を収容するとともに、当該熱交換器１３を通過した空気流を吹き出す吹き出し口２２を有している本体ケーシング１１と、を備える。吹き出し口２２は、熱交換器１３に対して略垂直に形成された上壁部３１と、この上壁部３１に対向する下壁部３３とを有し、吹き出し口２２には、空気流の向きを上下方向に調節する水平羽根３６が設けられる。空気流を最も下向きに調節したときの水平羽根３６と上壁部３１との間に、水平羽根３６の上面に冷気シールを形成するための通風路Ｒを形成する。【選択図】      図４
2010249451.tif 000002
【特許請求の範囲】
【請求項１】
送風機（１２）と、この送風機（１２）によって生成された空気流を通過させて熱交換を行う熱交換器（１３）と、前記送風機（１２）及び前記熱交換器（１３）を収容するとともに、当該熱交換器（１３）を通過した空気流を吹き出す吹き出し口（２２）を有している本体ケーシング（１１）と、を備えている空気調和装置であって、
前記吹き出し口（２２）が、前記熱交換器（１３）に対して略垂直に形成された第１壁部（３１）と、この第１壁部に対向する第２壁部（３３）とを有し、
前記第１，第２壁部（３１，３３）の対向方向に関する空気流の向きを調節する調節羽根（３６）が、前記吹き出し口（２２）に揺動可能に設けられ、
前記空気流の向きを最も前記第２壁部（３３）側へ調節したときの前記調節羽根（３６）と、前記第１壁部（３１）との間には、冷房運転時に前記調節羽根（３６）の前記第１壁部（３１）側の表面（３６ｃ）に冷たい空気流の層からなる冷気シールを形成するための通風路（Ｒ）が形成されていることを特徴とする空気調和装置。
【請求項２】
前記第１壁部（３１）に対して垂直な方向についての間隔（Ａ，Ｂ）であって、空気流の向きを最も前記第２壁部（３３）側へ調節したときの前記調節羽根（３６）の空気流方向の上流側端部（３６ａ）から前記第１壁部（３１）までの間隔（Ａ）と、当該調節羽根（３６）の上流側端部（３６ａ）から前記第２壁部（３３）までの間隔（Ｂ）とが、
１．５Ａ＜Ｂ＜２．５Ａ
の関係を満たすように設定されている請求項１に記載の空気調和装置。
【請求項３】
空気流の向きを最も第２壁部（３３）側へ調節したときの前記調節羽根（３６）が、前記第１壁部（３１）と略平行な姿勢とされている請求項１又は２に記載の空気調和装置。
【請求項４】
互いに対向する前記第１壁部（３１）及び前記第２壁部（３３）は、それぞれ前記吹き出し口（２２）の上壁部及び下壁部であり、
前記調節羽根（３６）は、空気流の向きを上下方向に調節する水平羽根であり、
前記熱交換器（１３）は、上部側が空気流の吹き出し方向先方側に、下部側が空気流の吹き出し方向後方側に位置するように傾斜して配置されている請求項１〜３のいずれかに記載の空気調和装置。
【請求項５】
空気流の向きを左右方向に調節する垂直羽根（３５）が、前記吹き出し口（２２）に設けられており、
前記垂直羽根（３５）の上端が、最も下向きに調節された水平羽根（３６）の上端と略同一の高さに設定されている請求項４に記載の空気調和装置。
【発明の詳細な説明】
【技術分野】
【０００１】
本発明は、空調された空気を室内に吹き出す空気調和装置に関し、特に、吹き出し口に設けられた調節羽根における結露の防止を図った空気調和装置に関する。
【背景技術】
【０００２】
下記特許文献１には、天井吊り型の室内機を有する空気調和装置が開示されている。この空気調和装置の室内機は、前面に吹き出し口を有する本体ケーシングと、この本体ケーシング内の前部側に収容された熱交換器と、本体ケーシング内の後部側に収容された送風ファンとを備えている。送風ファンは、本体ケーシングの下面から吸い込んだ空気を前方に送風し、熱交換器は、送風ファンによって前方に吐出される空気流を通過させることによって熱交換を行う。そして、熱交換された空気流が吹き出し口から室内に吹き出されることによって、室内の温度調節等が行われる。
【０００３】
一方、本体ケーシングの吹き出し口には、空気流の向きを調節するための調節羽根が設けられている。図５は、従来技術（特許文献１）に係る空気調和装置の室内機の吹き出し口付近を拡大した側面断面図であり、この調節羽根は、空気流の向きを左右方向に調節する垂直羽根１３５と、この垂直羽根１３５の前側において、空気流の向きを上下方向に調節する水平羽根１３６とからなっている。
【先行技術文献】
【特許文献】
【０００４】
【特許文献１】特開２００２−１０６８８２号公報（図１）
【発明の概要】
【発明が解決しようとする課題】
【０００５】
特許文献１に記載された室内機では、図５に実線に示すように水平羽根１３６を最も下向きに調節すると、空気流は専ら水平羽根１３６の下側を通過し、水平羽根１３６の上側をあまり通過しない。また、水平羽根１３６の上側を空気流が通過した場合でも風量が少ないので水平羽根１３６の先端側にまでは空気流が行き届き難い。そのため、冷房運転時に、水平羽根１３６の上面には室内の暖かい空気が触れ易くなり、水平羽根１３６が下面側から冷気によって冷やされることによって上面側には結露が発生し、その結露水が室内に滴下してしまう虞があった。従来、結露水が室内に滴下するのを防止するために、水平羽根１３６の上面に凹凸を形成する等の対策もとられていたが、外観が悪化するという弊害があった。
【０００６】
本発明は、上記のような実情に鑑みてなされたものであり、調節羽根における結露の発生を防止することが可能な空気調和装置を提供することを目的とする。
【課題を解決するための手段】
【０００７】
（１）  本発明の空気調和装置は、送風機と、この送風機によって生成された空気流を通過させて熱交換を行う熱交換器と、前記送風機及び前記熱交換器を収容するとともに、当該熱交換器を通過した空気流を吹き出す吹き出し口を有している本体ケーシングと、を備えている空気調和装置であって、前記吹き出し口が、前記熱交換器に対して略垂直に形成された第１壁部と、この第１壁部に対向する第２壁部とを有し、前記第１，第２壁部の対向方向に関する空気流の向きを調節する調節羽根が、前記吹き出し口に揺動可能に設けられ、前記空気流の向きを最も前記第２壁部側へ調節したときの前記調節羽根と、前記第１壁部との間には、冷房運転時、当該第１壁部側の前記調節羽根の表面に冷たい空気流の層からなる冷気シールを形成するための通風路が形成されていることを特徴とする。
【０００８】
熱交換器を通過した空気流は、熱交換器に対して略垂直な方向に流れるため、上記構成のように、吹き出し口の第１壁部を熱交換器に対して略垂直に形成することによって空気流の乱れや流動抵抗を小さくし、十分な風量で吹き出し口から空気流を吹き出すことができ、空気流の向きを最も第２壁部側へ調節したときの調節羽根の第１壁部側の表面にも通風路を介して十分に空気流を流すことができる。これによって、調節羽根の当該表面に好適に冷気シールを形成し、結露の発生を防止することができる。
【０００９】
（２）  上記の空気調和装置において、前記第１壁部に対して垂直な方向についての間隔であって、空気流の向きを最も前記第２壁部側へ調節したときの前記調節羽根の空気流方向の上流側端部から前記第１壁部までの間隔Ａと、当該調節羽根の上流側端部から前記第２壁部までの間隔Ｂとは、  １．５Ａ＜Ｂ＜２．５Ａ  の関係を満たすように設定されていることが好ましい。
【００１０】
この構成によれば、調節羽根の空気流方向の上流側端部の位置を第１，第２壁部との関係で上記の所定範囲内に設定することによって、第２壁部側へ向きが調節された空気流の風量を十分に確保して室内の空調を適切に行いつつ、調節羽根の第１壁部側の表面にも冷気シールを形成するのに必要な風量の空気流を流すことができる。すなわち、調節羽根を用いた風向の調節と当該調節羽根の結露防止との両方を実現することができる。
【００１１】
（３）  空気流の向きを最も第２壁部側へ調節したときの前記調節羽根は、前記第１壁部と略平行な姿勢とされていることが好ましい。このような構成によって、第１壁部に沿って吹き出される空気流が調節羽根の第１壁部側の表面全体に覆うように流れやすくなり、確実に冷気シールを形成することができる。
【００１２】
（４）  互いに対向する前記第１壁部及び前記第２壁部は、それぞれ前記吹き出し口の上壁部及び下壁部であり、前記調節羽根は、空気流の向きを上下方向に調節する水平羽根であり、前記熱交換器は、上部側が空気流方向先方側に、下部側が空気流方向後方側に位置するように傾斜して配置されていることが好ましい。
【００１３】
この構成のように熱交換器が傾斜して配置されている場合、熱交換器を通過し、当該熱交換器に対して略垂直に流れる空気流は、上壁部に沿って前斜め下方に向けて吹き出されるので、最も下壁部（第２壁部）側へ空気流の向きを調節した水平羽根の上面側に適切に空気流を流し、冷気シールを形成することができる。
【００１４】
（５）  空気流の向きを左右方向に調節する垂直羽根が、前記吹き出し口に設けられており、前記垂直羽根の上端が、最も下向きに調節された水平羽根の上端と略同一の高さに設定されていることが好ましい。
このような構成によって、水平羽根を最も下向きに調節した場合でも、垂直羽根により吹き出し口の長手方向に関する空気流の向きを好適に調節することができる。
【発明の効果】
【００１５】
本発明の空気調和装置によれば、調節羽根における結露の発生を好適に防止することができる。
【図面の簡単な説明】
【００１６】
【図１】本発明の実施の形態に係る空気調和装置の室内機を示す正面図である。
【図２】図１に示される室内機の概略断面図である。
【図３】図１に示される室内機の内部構造の概略平面図である。
【図４】図１に示される室内機の吹き出し口付近を拡大して示す概略断面図である。
【図５】従来技術に係る空気調和装置の室内機の吹き出し口付近を拡大した概略断面図である。
【発明を実施するための形態】
【００１７】
以下、本発明の実施の形態について図面を参照して説明する。
図１は、本発明の実施の形態に係る空気調和機の室内機１０の正面図であり、図２は、図１に示される室内機１０の概略断面図である。また、図３は、図１に示される室内機１０の内部構造の概略平面図である。室内機１０は天井吊り下げ型であり、左右方向に長く、上下方向に薄い箱型に形成された本体ケーシング１１を備えている。この本体ケーシング１１の内部には、複数の送風ファン（送風機）１２、熱交換器１３、及び送風ファン駆動用のモータ（駆動部）１４等が設けられている。
【００１８】
図２に示されるように、本体ケーシング１１は、天井に吊り下げ可能な天板部１６と、この天板部１６の前部側の下方に対向して配置された底板部１７と、天板部１６の後部側の下方に対向して配置されたグリルカバー１８と、天板部１６、底板部１７、及びグリルカバー１８の左右両側に設けられた側部カバー１９（図１参照）とを備えている。天板部１６の後端部は下方に屈曲されることによって後板部１６ａを構成している。グリルカバー１８には本体ケーシング１１内に室内の空気を吸い込むための吸い込み口２０が形成されている。底板部１７とグリルカバー１８との間には、上下方向に延びる仕切り板２１が設けられており、この仕切り板２１によって、本体ケーシング１１の内部が前後方向に２つの空間１１Ａ，１１Ｂに区画されている。本体ケーシング１１の前面には、左右方向に細長い長尺矩形状の吹き出し口２２が前方に向けて開口するように形成されている。
【００１９】
図３に示されるように、複数の送風ファン１２は、本体ケーシング１１内の後部側の空間１１Ｂに左右方向に並べて配置され、仕切り板２１等によって支持されている。各送風ファン１２は、例えばシロッコファン等の多翼型ファンであり、モータ１４によって駆動される。そして、送風ファン１２は、本体ケーシング１１の後部下面に形成された吸い込み口２０（図２参照）から室内の空気を吸い込み、仕切り板２１の前方の空間１１Ａへ流れる空気流を生成するように構成されている。
【００２０】
図３に示されるように、熱交換器１３は、本体ケーシング１１内の前部側の空間１１Ａに配置されており、送風ファン１２によって生成された前方への空気流を通過させるように設けられている。この熱交換器１３は、左右方向に所定間隔をあけて並べて配置された多数のフィン２５と、このフィン２５を貫通した状態で左右方向に延びる冷媒配管２６とを含む。この熱交換器１３は、本体ケーシング１１の内部空間における左右方向の大部分の範囲に亘る長さを有しており、正面からみて左右方向一方側（図示例では左側）にやや偏って配置されている。熱交換器１３の左右方向他方側（図示例では右側）には、室外機との間で冷媒を循環させるための配管２７等が当該熱交換器１３に隣接して配置されている。複数の送風ファン１２は、熱交換器１３の左右方向の範囲全体に空気流を送るように左右方向に分散して配置されている。空気調和装置は、この熱交換器１３を蒸発器として用いることで冷房運転が可能であり、凝縮器として用いることで暖房運転が可能である。
【００２１】
図２に示されるように、熱交換器１３は、上部側が前方（吹き出し口２２側；空気流の下流側）に位置し、かつ下部側が後方（送風ファン１２側；空気流の上流側）に位置するように本体ケーシング１１の天板部１６又は底板部１７に対し傾斜して配置されている。そして、送風ファン１２から前方へ向けて流れる空気流は、熱交換器１３を通過することによって冷媒配管２６内を流れる冷媒との間で熱交換され、当該熱交換器１３に対して略垂直な前斜め下方に変向されて吐出されるようになっている。
【００２２】
天板部１６の前端部の下面には断熱材３０が設けられ、この断熱材３０によって吹き出し口２２の上壁部３１が構成されている。また、底板部１７の上面には、熱交換器１３で発生した結露水を受けるドレンパン３２が設けられ、このドレンパン３２の前縁部によって吹き出し口２２の下壁部３３が構成されている。
【００２３】
図４は、図１に示される室内機の吹き出し口付近を拡大して示す概略断面図である。上壁部３１の下面は、熱交換器１３の前面付近から前斜め下方に向けて傾斜した平面状の傾斜面となっており、熱交換器１３に対して略垂直に形成されている。例えば、上壁部３１と熱交換器１３との相対角度θは、θ＝８５°〜９５°の範囲に設定されており、具体的に本実施の形態では、θ＝９０°に設定されている。したがって、熱交換器１３を通過して当該熱交換器１３に対して略垂直に流れる空気流は、上壁部３１に沿って小さい流動抵抗で乱れも少なく吹き出し口２２を通過する。これによって、吹き出し口２２から吹き出される空気流の風量及び風速の低下を抑制することができる。また、下壁部３３の上面は略水平に形成されている。
【００２４】
図４に示されるように、吹き出し口２２には、熱交換器１３を通過して吹き出し口２２から吹き出される空気流の向き（風向）を調節する調節羽根が設けられている。この調節羽根は、風向を左右方向に調節する垂直羽根（第１調節羽根）３５と、この垂直羽根３５の前側に配置されるとともに、風向を上下方向に調節する水平羽根（第２調節羽根）３６とを含む。
【００２５】
図３に示されるように、垂直羽根３５は、吹き出し口２２の長手方向の略全体に亘る範囲で多数枚並設されており、それぞれが上下方向の第１軸心Ｘ１回りに左右揺動可能に下壁部３３に設けられている。垂直羽根３５は、互いに隣接する数枚（例えば４枚）が連動部材３９を介して連結され、この連結された数枚の垂直羽根３５が連動して同一の方向に揺動するように構成されている。
【００２６】
水平羽根３６は、吹き出し口２２の長手方向の略全体に亘る長さを有している。水平羽根３６は、図示しない支持部材を介して左右方向に沿った第２軸心Ｘ２回りに上下揺動可能に設けられ、図示しないモータやリンク機構によって揺動駆動されるように構成されている。水平羽根３６は、図４において２点鎖線で示す横向き姿勢を風向調節の上限とし、実線で示す下向き姿勢を風向調節の下限として、これらの姿勢の間で空気流の風向を上下に調節するように構成されている。また、水平羽根３６は、横向き姿勢とされた状態で、側面視で上に凸となるように湾曲した形状に形成されている。
【００２７】
図４に実線で示すように、水平羽根３６が最も下向きの姿勢とされたとき、その後端部３６ａと上壁部３１との間には空気流を通過させることができる間隔Ａが形成され、この間隔Ａによって通風路Ｒが構成されている。この通風路Ｒは、熱交換器１３を通過して前斜め下方に向けて吐出される空気流を水平羽根３６の上面に沿って流れさせるように設けられている。したがって、冷房運転時に、水平羽根３６の上面には冷たい空気流の層からなる冷気シールが形成されることとなり、室内の暖かい空気が水平羽根３６の上面に触れることによって当該上面３６ｃに結露が発生するのを防止している。
【００２８】
ここで、通風路Ｒの寸法Ａが大きければ大きいほど水平羽根３６の上面３６ａにはより多くの冷気が供給され、結露の防止作用が高まるが、その分、水平羽根３６の下側を通って下向きに吹き出される空気流が少なくなり、所望の向きに風向を調節することが困難になる。そこで、本実施の形態では、水平羽根３６の下側を通過して下向きに吹き出される空気流の風量を十分に確保しつつ、結露を防止するのに必要な風量の空気流を水平羽根３６の上面３６ａに供給することができるように、下向き姿勢とされた水平羽根３６の位置を適切に設定している。
【００２９】
具体的には、下向き姿勢とされた水平羽根３６の後端３６ａの位置は次のように設定されている。まず、吹き出し口２２の上壁部３１に垂直な方向に関して、水平羽根３６の後端３６ａと上壁部３１との間には間隔Ａがあけられており、水平羽根３６の後端３６ａと下壁部３３との間には間隔Ｂがあけられている。そして、間隔Ａと間隔Ｂとは、以下に示す関係を満たすように設定されている。
１．５Ａ＜Ｂ＜２．５Ａ    （Ａ：Ｂ＝２：３  〜  ２：５）  ・・・  （１）
【００３０】
式（１）に関して、間隔Ｂの寸法が１．５Ａよりも小さい場合、水平羽根３６の上側に多くの冷気を供給することができるが、水平羽根３６の下側を流れる冷気の風量が少なくなり、水平羽根３６による風向の調節が十分になされなくなる。逆に、間隔Ｂの寸法が２．５Ａよりも大きい場合、水平羽根３６の下側を流れる風量が多くなって風向の調節は好適に行えるものの、水平羽根３６の上側には少量の冷気しか供給することができないので、水平羽根３６の上面３６ｃに十分な冷気シールを形成することが困難となる。したがって、間隔Ａ，Ｂを式（１）の如く設定することによって、水平羽根３６による風向の調節と、当該水平羽根３６の結露防止との両方を実現することができる。
【００３１】
なお、水平羽根３６の後端部３６ａと、吹き出し口２２の上壁部３１及び下壁部３３との間隔Ａ及び間隔Ｂは、式（１）で示された範囲の中で、次の式（２）の関係を満たすように設定することがより好ましい。
Ｂ＝２Ａ    （Ａ：Ｂ＝１：２）  ・・・  （２）
【００３２】
また、吹き出し口２２の上壁部３１を熱交換器１３に対して略垂直に形成していることによって、熱交換器１３を通過した空気流は上壁部３１に沿って小さい流動抵抗で流れるので、通風路Ｒに対して十分な風量の空気流を供給することができる。これによって結露の発生をより確実に防止することができる。
【００３３】
最も下向きの姿勢とされた水平羽根３６は、吹き出し口２２の上壁部３１と略平行（熱交換器１３に対して略垂直）とされ、例えば、吹き出し口２２の上壁部３１に対して−５°〜＋５°の範囲の相対角度で配置されている。したがって、通風路Ｒを通過した空気流は、水平羽根３６の上面３６ｃに沿って流れ易くなり、当該上面３６ｃ全体に対して好適に冷気シールを形成することができる。なお、水平羽根３６の姿勢は、水平羽根３６の前後端部を通る線分Ｌを基準とする。
【００３４】
垂直羽根３５は、図４に実線で示すように最も下向きの姿勢とされた水平羽根３６の後端３６ａの高さと略同じ高さに形成されている。したがって、水平羽根３６の下側を通って下向きに風向が調節される空気流は、垂直羽根３５によって左右方向にも風向を調節することができる。
【００３５】
本発明は、上記実施の形態に限定されることなく適宜設計変更可能であり、天井吊り型の室内機１０を有する空気調和装置以外の空気調和装置にも適用することができる。例えば、天井埋め込み型のように吹き出し口が下向きに設けられた室内機を有する空気調和装置にも適用することができる。
【符号の説明】
【００３６】
１０  室内機
１１  本体ケーシング
１２  送風ファン
１３  熱交換器
２２  吹き出し口
３１  上壁部
３３  下壁部
３５  垂直羽根
３６  水平羽根
【図１】
2010249451.tif 000003
【図２】
2010249451.tif 000004
【図３】
2010249451.tif 000005
【図４】
2010249451.tif 000006
【図５】
2010249451.tif 000007